(57)【特許請求の範囲】
【請求項１】
育苗ポットの収納部が連設されてなるトレーにおいて、該収納部の開口部縁から縦突起が上部に突出し、該縦突起の上端部から横突起が該育苗ポットの上縁の一部を覆うように張り出され、前記縦突起及び前記横突起を含んで押さえ部材が構成され、該押さえ部材が着脱自在に設けられた育苗ポットの移動用トレー。
【請求項２】
前記開口部が略正方形とされ、少なくともその一隅に前記縦突起が設けられた請求項１に記載する育苗ポットの移動用トレー。
【請求項３】
前記横突起が棒状であり、前記横突起の先端部が前記育苗ポットの上縁の一部を覆うように張り出され、前記横突起が、前記開口部縁の前記横突起が張り出された位置を中心に水平方向に回動自在とされた請求項１又は２に記載の育苗ポットの移動用トレー。
【請求項４】
請求項１乃至３のいずれかに記載のトレーの縦突起を構成する台座と、該台座の上端部から横に張り出し、前記横突起を構成する突起部と、該台座の下端から下方に突出し、前記開口部縁に設けられた嵌合孔に嵌合する嵌合片とを備える育苗ポットの移動用トレー用押え部材。
【請求項５】
前記嵌合片が縦方向の割りを有する請求項４に記載の移動用トレー用押え部材。
【請求項６】
前記嵌合片が根元にくびれ部を有する請求項４又は５に記載の移動用トレー用押え部材。
【請求項７】
育苗ポットの収納部が連設されてなるトレーにおいて、該収納部の開口部縁から、棒状の横突起が、該横突起の先端部が該育苗ポットの上縁の一部を覆うように、張り出され、該横突起が該開口部縁の該横突起が張り出された位置を中心に水平方向に回動自在とされた育苗ポットの移動用トレー。
【請求項８】
複数の前記横突起を台座から放射状に突出させた押え部材を含み、隣接の前記横突起のなす角度が略９０度又は略１８０度である請求項７に記載の育苗ポットの移動用トレー。
【請求項９】
４個の前記横突起を備え、前記角度が略９０度である請求項８に記載の育苗ポットの移動用トレー。
【請求項１０】
台座と、請求項７乃至９のいずれかに記載のトレーを構成し該台座から突出する前記横突起と、該台座の下端から下方に突出し、前記開口部縁に設けられた嵌合孔に嵌合する嵌合片とを備える育苗ポットの移動用トレー用押え部材。
【請求項１１】
請求項４乃至６のいずれか、又は請求項１０に記載の押え部材と前記嵌合孔とを含む、育苗ポットの移動用トレー構造。
【請求項１２】
請求項４乃至６のいずれかに記載の押え部材と前記嵌合孔とを含み、前記嵌合片が前記嵌合孔に嵌合され、前記縦突起と前記開口部縁とが溶着又は接着により固定された育苗ポットの移動用トレー構造。
【発明の詳細な説明】
【０００１】
【発明の属する技術分野】
本発明は、育苗ポット苗が運搬中に飛び出すのが防止された、育苗ポットの移動用トレーに関する。
【０００２】
【発明が解決しようとする課題】
薄くて鉢状に成形された育苗ポットは、育苗の作業性を高めると同時に、そのまま出荷できる利点があり、従来より、種々の苗栽培に広く用いられてきた。通常、育苗ポットは、個々の育苗ポットが一個ずつ収容される収納部が連続して設けられたトレーか、あるいは、仕切りのない箱状であって育苗ポットを纏めて収めるトレーに収容されて取り扱われる。前者のトレーでは、育苗ポットの型崩れや転倒などが生じにくい特徴がある。
【０００３】
しかしながら、トレーの移動時、特に、出荷に伴う運搬中には、トラックの激しい振動や、積み降ろし時の強い衝撃などを受けて、育苗ポット苗が収納部から飛び出してしまい、苗を傷つけるトラブルが発生しやすい。そして、このようなトラブルが生じると、出荷先は、傷ついた苗だけでなくトレー全体の苗を引き取らない場合が多く、出荷元にとって大きな損失になっている。
【０００４】
これに対し、本願発明者は育苗ポットの飛び出しを防止できる移動用トレーを提案をした（特開２００１−１３６８３５号公報）。この移動用トレーにおいては、図１８に示されるように、移動用トレー１１０の枠１１４内に、育苗ポットの収納部１１６が縦横に格子状に連設されており、収納部１１６は四隅が円弧状の略正方形とされている。また、それぞれの収納部１１６は桟１２４によって区切られており、各収納部１１６の開口部１２０の四隅の縁から、舌状の突起１２２が開口部１２０の内側に向けて張り出されている。そして、桟１２４の、収納部１１６の四辺を形成する部分のそれぞれには、窪み１２６が設けられている。収納部１１６の深さは収納される育苗ポット（図示せず）の高さより大きくされていて、突起１２２は、育苗ポットの上縁を覆うように設けられている。
【０００５】
収納部１１６が育苗ポットの高さより深くされているので、育苗ポットを引き出す時に、育苗ポットの上縁部分を手で摘むのが、桟１２４や枠１１４に邪魔されて難しいことがある。本例の移動用トレー１１０では、桟１２４に、指先の幅より広い窪み１２６が設けられているので、この窪み１２６部分で育苗ポットの上縁部分を容易に摘むことができて、移動用トレー１１０から育苗ポットを引き出すのが楽になる。
【０００６】
しかしながら、このような窪み１２６を桟１２４や枠１１４に設けることは、移動用トレー１１０の形状を複雑にし、製造コストの増加をもたらし、又、移動用トレー１１０の取り扱い時に窪み１２６の角にものを引っ掛けるなどのトラブルが生じやすかった。又、収納部１１６を育苗ポットの高さより単に浅くした場合は、育苗ポットの上縁１１８部分が突起１２２で倒され育苗ポットの形が崩れ、中の土が押されたり、苗の根の部分にダメージを及ぼすおそれがある。
【０００７】
又、従来の移動用トレー１１０は、育苗ポットの出し入れの際、突起１２２が育苗ポットにひっかかりやすく邪魔になって、この点で育苗ポットの出し入れが容易でないという問題があった。
【０００８】
【発明が解決しようとする課題】
そこで本発明者は、従来技術の上述の問題点に鑑み、形状がシンプルで取扱が容易で、育苗ポットの形を崩すおそれの少ない、運搬時などでの育苗ポットの飛び出しを防止できる育苗ポットの移動用トレーを提供しようとする。
【０００９】
更に、育苗ポットの出し入れが簡単な育苗ポットの移動用トレーを提供しようとする。
【００１０】
【課題を解決するための手段】
【００１１】
本発明の要旨とするところは、育苗ポットの収納部が連設されてなるトレーにおいて、該収納部の開口部縁から縦突起が上部に突出し、該縦突起の上端部から横突起が該育苗ポットの上縁の一部を覆うように張り出された育苗ポットの移動用トレーであることにある。
【００１２】
前記トレーは、前記開口部が略正方形とされ得、少なくともその一隅に前記縦突起が設けられ得る。
【００１３】
前記トレーは、前記縦突起及び前記横突起を含んで押さえ部材が構成され得、該押さえ部材が着脱自在に設けられ得る。
【００１４】
前記トレーは、前記横突起が棒状であり得、前記横突起の先端部が前記育苗ポットの上縁の一部を覆うように張り出され、前記横突起が、前記開口部縁の前記横突起が張り出された位置を中心に水平方向に回動自在とされ得る。
【００１５】
又、本発明の要旨とするところは、前記トレーの縦突起を構成する台座と、該台座の上端部から横に張り出し、前記横突起を構成する突起部と、該台座の下端から下方に突出し、前記開口部縁に設けられた嵌合孔に嵌合する嵌合片とを備える育苗ポットの移動用トレー用押え部材であることにある。
【００１６】
前記嵌合片は、縦方向の割りを有し得る。
前記嵌合片は、根元にくびれ部を有し得る。
【００１７】
更に、本発明の要旨とするところは、育苗ポットの収納部が連設されてなるトレーにおいて、該収納部の開口部縁から、棒状の横突起が、該横突起の先端部が該育苗ポットの上縁の一部を覆うように、張り出され、該横突起が該開口部縁の該横突起が張り出された位置を中心に水平方向に回動自在とされた育苗ポットの移動用トレーであることにある。
【００１８】
前記トレーは、複数の前記横突起を台座から放射状に突出させた押え部材を含み得、隣接の前記横突起のなす角度が略９０度又は略１８０度であり得る。
【００１９】
前記トレーは、４個の前記横突起を備え得、前記角度が略９０度であり得る。
【００２０】
又、本発明の要旨とするところは、台座と、前記トレーを構成し該台座から突出する前記横突起と、該台座の下端から下方に突出し、前記開口部縁に設けられた嵌合孔に嵌合する嵌合片とを備える育苗ポットの移動用トレー用押え部材であることにある。
【００２１】
更に、本発明の要旨とするところは、前記押え部材と前記嵌合孔とを含む、育苗ポットの移動用トレー構造であることにある。
【００２２】
更に又、本発明の要旨とするところは、前記押え部材と前記嵌合孔とを含み、前記嵌合片が前記嵌合孔に嵌合され、前記前記縦突起と前記開口部縁とが溶着又は接着により固定された育苗ポットの移動用トレー構造であることにある。
【００２３】
【発明の実施の形態】
次に、本発明に係る育苗ポットの移動用トレーの実施態様について、図面に基づいて詳しく説明する。
【００２４】
図１は、本発明に係わる育苗ポットの移動用トレーの、特に有用な実施態様の一例を示すものである。移動用トレー１０の枠１４内には、育苗ポットの収納部１６が縦横に格子状に連設されており、収納部１６は四隅が円弧状の略正方形とされている。また、それぞれの収納部１６は桟２４によって区切られており、各収納部１６の開口部２０の四隅の縁から、縦突起２２ａが上方に突出されている。更に縦突起２２ａの上端部から舌状の横突起２２ｂが開口部２０の内側に向けて張り出されている。
【００２５】
図２の断面模式図に示すように、収納部１６の深さＤは収納される育苗ポット１２の高さＨＢより小さくされていて、横突起２２ｂは、育苗ポット１２の上縁１８を覆うように設けられている。収納部１６の深さＤと縦突起２２ａの高さＨをあわせた長さは、育苗ポット１２の高さに略等しくされている。横突起２２ｂと縦突起２２ａは、移動用トレー１０に固定あるいは係止される方法は特に限定されない。ネジやピンやクリップなどの係止具を用いてもよいが、できれば、部品数の少ない単純な機構とされるのが好ましい。例えば、図２、図３、図４、図５に示されるように、一体に成形された横突起２２ｂと縦突起２２ａを含んで成る押さえ部材３９ａに設けた嵌合片６３を、桟２４又は枠１４に設けた嵌合孔２５に押し込んで嵌合させる方法でもよい。
【００２６】
図３、図４、図５に横突起２２ｂに相当する横方向に突出する突起部７０と、縦突起２２ａに相当する台座７２とを含んで成る押さえ部材３９ａのそれぞれ要部斜視図、平面図、背面図を示す。符号は図２と共通である。嵌合片６３は台座７２の下端から下方に突出する。嵌合片６３は円柱形であってもよいが、図３に示すように、先細の裁頭円錐形であり、かつ下縁部から上方に縦に切られた割り６７を有するものであることが好ましい。割り６７は背面視十文字に設けられることが好ましい。この形状を有する嵌合片６３は、嵌合孔２５に押し込まれるとき周壁が外側に付勢されつつ内側に撓むので、最後まで押し込みやすく、かつ、いったん押し込まれた嵌合片６３は、周壁が外側に付勢されているので引き抜かれにくく、確実な装着ができる。更に、嵌合６３は、根元に径が細いくびれ部６４を有し、このくびれ部６４により嵌合孔２５との嵌合が確実なものとなる。押さえ部材３９ａは、ポリプロピレン、ポリエチレン等の成形用樹脂から押し出し成形により製造することが出来る。
【００２７】
本例の移動用トレー１０は、次のようにして用いられる。まず、育苗ポット１２を収納部１６の開口部２０から押し入れるが、突起２２に触る側壁部分は内側に変形して挿入される。収納部１６は、育苗ポット１２の高さより浅いので、収納部１６の底に達するまで育苗ポット１２が深く押し込まれると、育苗ポット１２の上縁１８が桟２４からはみだし、横突起２２ｂの下に潜るように広がる。育苗ポット１２が空である時は勿論、用土１９がすでに入れられていたり、苗が植え込まれたりしていても、通常、用土１９が育苗ポット１２の上縁１８まで満たされることはない。したがって、横突起２２ｂに側面を押されれば、上縁１８部分が容易に曲げられて変形するので、育苗ポット１２は収納部１６へ容易に挿入される。特に用土１９量が多くて、用土１９部分が横突起２２ｂに引っ掛かる時には、手指で育苗ポット１２の変形を助けながら挿入する場合もある。
【００２８】
育苗ポット１２が収納された移動用トレー１０は、育苗の過程で、生産現場を移動させられたり、製品になってから出荷先に運ばれたりするが、育苗ポット１２の上縁１８が横突起２２ｂによって蓋するように覆われているため、激しい上下動を受けても、横突起２２ｂに上側を遮られて、育苗ポット１２が移動用トレー１０から飛び出すことはなくなる。
【００２９】
出荷先などで育苗ポット１２を取り出す時は、桟２４から上方にはみ出した部分の育苗ポット１２の上縁１８を手で摘んで引き上げる。特に用土量が多い場合などには、挿入時と同様に、手指で育苗ポット１２の変形を助けながら引出すこともある。
【００３０】
収納部１６が育苗ポット１２の高さより浅くされているので、育苗ポット１２を引き出す時に、育苗ポット１２の上縁１８部分を容易に手で摘むことができて、移動用トレー１０から育苗ポット１２を引き出すのが非常に楽になる。
【００３１】
本発明の移動用トレー１０は、図１８に記された従来の移動用トレーのような、桟２４の窪み２６を有しないので、桟２４に窪み２６による段差でつくられる角がない。従って、移動用トレーの取り扱い中にその角にものを引っ掛けるといったトラブルがない。又、収納部１６からはみでた育苗ポット１２の上縁１８部分は、育苗ポット１２の全周にわたるので、周上の任意の位置で上縁１８部分を指で摘むことができ、育苗ポット１２の取り出し操作が容易になる。
【００３２】
押さえ部材は、図６の断面模式図に示すように、横突起２２ｃの部分と縦突起２２ｄの部分とが滑らかな曲線状につながっているものであってもよい。
【００３３】
本発明の移動用トレーに設けられる収納部は、本例の略正方形の開口部形状に限定されるものではない。例えば、開口部２０が円形であってもよいし、あるいは、六角形や八角形の開口部とされてもよい。
【００３４】
横突起２２ｂは、図１に例示されるように、又図７（ａ）に示されるように、縦横の桟２４が交差する収納部１６の隅に設けられる。しかしながら、育苗ポット１２の飛び出しをより確実に防止するように、図７（ｂ）に示されるように、対向する二隅に設けられることもある。図７（ｃ）に示されるように、隣り合う二隅に設けられることもある。また本発明は、図７（ｄ）に示されるように、略正方形の各辺に横突起２２ｂを設ける場合や、図７（ｅ）に示されるように、略正方形の各隅に横突起２２ｂを設ける場合を含め、水平突起の数や配設場所が自由に選択されるものであり、上述の数例に限定されるものではない。
【００３５】
また、横突起２２ｂの形状も特に限定されない。例えば、図８（ａ）は、図１に示されるのと同様の、扇状横突起２２ｂを示し、同図（ｂ）は略三角形の横突起２２ｂを示し、同図（ｃ）は、育苗ポット１２に向く側が凹の三日月状の横突起２２ｂを示している。横突起２２ｂの厚みや大きさや形状は、移動用トレー１０に収容する育苗ポット１２の形状や大きさや固さなどによって、最適に設計されるものである。
【００３６】
押さえ部材の形状は特に限定されない。例えば、図９（ａ）に示される押さえ部材３９は横突起２４ｂを備え、１本の桟２４に縦突起２４ａを介して固定されて、横突起２４ｂがその両側の６個の収納部１６を覆い、同図（ｂ）に示される押さえ部材４０は、横突起２５ｂを備え、横突起２５ｂが縦突起２５ａを介してその両側の８個の収納部１６を覆う短冊状の形状とされている。また、同図（ｃ）に示される押さえ部材４１は横突起２６ｂを備え、横突起２６ｂが、１個の収納部１６の周囲に沿って縦突起２６ａを介して装着され、その収納部１６の四隅と、隣接する４個の収納部１６の一辺と、対角する４個の収納部１６の一隅とを覆う、ロの字形の形状とされている。
【００３７】
また、図１０に示される押さえ部材４３も、本発明の特に有用な実施態様の一例である。押さえ部材４３は横突起２８ｂを備え、縦突起２８ａを介して装着され、隣接する２列の収納部１６列の間に横突起２８ｂの部分が長い短冊状として設けられ、この２列の収納部１６全部の端部を押さえている。１個の押さえ部材４３で、２列全部の沢山の育苗ポット１２を押さえることができるので効率がよく、押さえ部材４３の着脱が、移動用トレー１０の横からだけでできるので大変便利である。押さえ部材４３を連続的に設けて、各収納部１６の四隅が押さえられるようにされてもよいし、隔列毎に設けられて、各収納部１６の二隅だけが押さえられるようにされてもよい。
【００３８】
図１１に示される押さえ部材４４は横突起２９ｂを備え、縦突起２９ａを介して装着され、隣接する２列の収納部１６列間に設けられた２個の短冊状横突起２９ｂが、繋ぎ部４８によって連結され、コの字形の形状とされている。１個の押さえ部材４４で、３列の育苗ポット１２を押さえることができるので、さらに効率が上がり便利である。
【００３９】
押さえ部材の効率を最も高めるには、ただ１個の押さえ部材で移動用トレー１０内の全ての育苗ポット１２を押さえることである。図１２に示される押さえ部材４５は横突起３０ｂを備え、縦突起３０ａを介して装着され、移動用トレー１０全幅に亘り、横突起３０ｂが繋ぎ部４８によって櫛状に連結されたものであり、全ての収納部１６に対し、その一部を覆っている。また、図１３に示される押さえ部材４６は、移動用トレーの本体部１１と同形の格子状とされ、横突起３１ｂを備え縦突起３１ａを介して装着され、全ての収納部１６の四隅を覆うことができる。押さえ部材４５または押さえ部材４６によれば、ただ一度の着脱操作で、全ての育苗ポット１２を固定または解放できるので、格別に便利である。
【００４０】
押さえ部材を着脱自在とする必要のない場合は、図１４の断面図に示すような横突起３２ｂと縦突起３２ａと突起片６６ａを備える押さえ部材５１の突起片６６ａを嵌合孔２５に押し込んだのち、接着もしくは融着もしくは溶着により桟２４と突起片６６ａや縦突起３２ａとを接合することにより、桟２４と押さえ部材５１とが確実に固定される。
【００４１】
本発明の更に他の態様を説明する。図１５（ａ）は、十字型に棒状の横突起３０ｊを配置した押さえ部材６０ｊである。押さえ部材６０ｊの他の部分の構成と符号は、図３に示す押さえ部材３９ａと同様である。図１５（ｂ）は、縦突起２２ａがなく、扁平な台座７２ｊの側縁から各横突起３０ｊが放射状に突出した押さえ部材６０ｋである。図１５に示す押さえ部材６０ｊや押さえ部材６０ｋの嵌合片６３を図２に示すような桟２４又は枠１４（図１）に設けた嵌合孔２５に押し込んで嵌合させ、桟２４又は枠１４に押さえ部材６０ｊや押さえ部材６０ｋが取り付けられる。
【００４２】
図１６は、桟２４に取り付けられた状態の押さえ部材６０ｊ又は押さえ部材６０ｋを示す平面図である。４個の横突起３０ｊが縦突起２２ａ（台座７２）から放射状に突出し、隣接の横突起３０ｊのなす角度が略９０度である。これにより、各横突起３０ｊがその先端部で各育苗ポット１２の縁部を押える。
【００４３】
育苗ポットを収納部１６に入れるときと、収納されている育苗ポット１２を収納部１６から取り出すときには、横突起３０ｊを水平方向に台座７２を中心に４５度回転させてそれぞれの横突起３０ｊが各桟２４に平行に、即ち各桟２４の上にくる点線に示す位置にもってくる。横突起３０ｊの回転により、嵌合孔２５に押し込まれている嵌合片６３が回転する。
【００４４】
これにより横突起３０ｊに妨げられることなく育苗ポット１２の出し入れが出来る。育苗ポット１２を収納部１６に収納した後に横突起３０ｊを４５度回転させて各育苗ポット１２の縁部上方に持ってくる。
【００４５】
図１７（ａ）のように、本発明の押さえ部材６０ｍは、横突起３０ｊが台座７２に２個が１８０度の角度で、即ち１直線に取り付けられていてもよい。育苗ポット１２の出し入れの際には、横突起３０ｊを水平方向に台座７２を中心に４５度回転させてそれぞれの横突起３０ｊを、各桟２４に平行に、即ち各桟２４の上にくる点線に示すＣＤ又はＡＢの位置にもってくる。
【００４６】
図１７（ｂ）のように、押さえ部材６０ｎが、２個の横突起３０ｊを台座７２に９０度の角度をなして取り付けたものでもよい。育苗ポット１２の出し入れの際には、それぞれの横突起３０ｊを、各桟２４に平行に、即ち各桟２４の上にくる点線に示すＡＤ又はＢＣの位置にもってくる。
【００４７】
図１７（ｃ）のように、押さえ部材６０ｐが、１個の横突起３０ｊを台座７２に取り付けたものでもよい。育苗ポット１２の出し入れの際には、それぞれの横突起３０ｊを、各桟２４に平行に、即ち各桟２４の上にくる点線に示すＡ、Ｂ、Ｃ又はＤの位置にもってくる。
【００４８】
本発明においては、移動用トレー１０の材質は、成形性とコストに優れたポリプロピレンなどのプラスチックが好ましく用いられる。また、紙屑などがリサイクル使用された成形品なども好ましく用いられる。
【００４９】
以上、本発明の移動用トレーについて詳細に説明してきたが、本発明は上述の引用例示に限定されず、収納部の配設方法、突起の形状や配設方法、押さえ部材の材質や形状や係止方法などにつき、その趣旨を逸脱しない範囲内で種々なる改良、修正、変化を加えた態様で実施し得るものである。
【００５０】
【発明の効果】
本発明に係わる、突起を備えた移動用トレーによれば、育苗ポットの上縁が突起によって蓋するように覆われるため、激しい上下動を受けても、突起に上側を遮られて、育苗ポットが移動用トレーから飛び出すことはなくなる。かつ、収納部からはみでた育苗ポットの上縁部分が、育苗ポットの全周にわたるので、周上の任意の位置で上縁部分を指で摘むことができ、育苗ポットの取り出し操作が容易になる。
【００５１】
又、本発明に係わる、突起を備えた移動用トレーによれば、育苗ポットの上縁が回動可能な棒状の突起によって覆われるため、育苗ポットの出し入れが簡単になる。
【図面の簡単な説明】
【図１】本発明に係る移動用トレーの一例を示す斜視図である。
【図２】本発明に係り、図１に示される移動用トレーの収納部を示し、横突起を横切る断面図である。
【図３】本発明に係り、押さえ部材の形状例を説明する要部斜視図である。
【図４】図３の押さえ部材の平面図である。
【図５】図３の押さえ部材の背面図である。
【図６】本発明に係り、他の態様の図１に示される移動用トレーの収納部を示し、横突起を横切る断面図である。
【図７】本発明に係り、収納部での横突起の配設例を示し、同図（ａ）は一隅に、同図（ｂ）は対向する二隅に、同図（ｃ）は隣り合う二隅に、同図（ｄ）は四辺に、同図（ｅ）は四隅に横突起が設けられた例である。
【図８】本発明に係り、突起の形状例を示し、同図（ａ）は扇状、同図（ｂ）は略三角形、同図（ｃ）は三日月状の例である。
【図９】本発明に係り、押さえ部材の他の形状例を説明する、移動用トレーの上面図であり、同図（ａ）と同図（ｂ）は短冊状、同図（ｃ）はロの字形の例である。
【図１０】本発明に係り、押さえ部材の他の形状例を説明する、移動用トレーの上面図である。
【図１１】本発明に係り、押さえ部材の他の形状例を説明する、移動用トレーの上面図である。
【図１２】本発明に係り、押さえ部材の他の形状例を説明する、移動用トレーの上面図である。
【図１３】本発明に係り、押さえ部材の他の形状例を説明する、移動用トレーの上面図である。
【図１４】本発明に係り、押さえ部材の固定手段を例示する縦断面図である。
【図１５】図１５（ａ）は、本発明に係り、押さえ部材の形状の他の例を説明する要部斜視図である。図１５（ｂ）は、本発明に係り、押さえ部材の形状の更に他の例を説明する要部斜視図である。
【図１６】本発明に係り、収納部での図１５の押さえ部材における横突起の配設例を示す上面模式図である。
【図１７】図１７（ａ）図１７（ｂ））図１７（ｃ）は、本発明に係り、それぞれに異なる態様の押さえ部材における形状及び横突起の配設例を示す上面模式図である。
【図１８】従来例に係る育苗ポット用トレーの一例を示す斜視図である。
【符号の説明】
１０、１１０：移動用トレー
１２、５６：育苗ポット
１４、１１４：枠
１６、１１６：収納部
１８：上縁
１９、５５：用土
２０、１２０：収納部の開口部
２２ａ、２２ｄ、２４ａ、２６ａ、３０ａ〜３２ａ：縦突起
２２ｂ、２２ｃ、３０ｊ、２４ｂ〜２６ｂ、３０ｂ〜３２ｂ：横突起
２４、１２４：桟
２５：嵌合孔
２８：育苗ポットの開口部
３０：育苗ポットの隅部
３２：育苗ポットの底
３３：育苗ポット１２底の縁
３９〜４１、４３〜４６、５１、３９ａ、６０ｊ、６０ｋ、６０ｍ、６０ｎ、６０ｐ：押さえ部材
６３：嵌合片
６４：くびれ部
６７：割り
７０：突起部
７２：台座
１２２：突起
１２６：窪み
【図１】
0004126401.tif 000002
【図２】
0004126401.tif 000003
【図３】
0004126401.tif 000004
【図４】
0004126401.tif 000005
【図５】
0004126401.tif 000006
【図６】
0004126401.tif 000007
【図７】
0004126401.tif 000008
【図８】
0004126401.tif 000009
【図９】
0004126401.tif 000010
【図１０】
0004126401.tif 000011
【図１１】
0004126401.tif 000012
【図１２】
0004126401.tif 000013
【図１３】
0004126401.tif 000014
【図１４】
0004126401.tif 000015
【図１５】
0004126401.tif 000016
【図１６】
0004126401.tif 000017
【図１７】
0004126401.tif 000018
【図１８】
0004126401.tif 000019